(57)【要約】      （修正有）【課題】映像調整機能を有する既知の設置装置が取付け可能で、転倒の恐れのない机上設置及び机上への投写を可能とし且つ、投写画面が机上を容易に移動可能とする設置装置を提供する。【解決手段】保持部材４の上面にレール６が平行に取付けられており、前記保持部材４の内側にはステー５と保持部材取付け孔が穿孔されており、机の長手方向の側面に前記保持部材取付け孔を介し前記保持部材４を取付け、車台部２の上面には設置装置取付け孔が穿孔されており、前記設置装置取付け孔を介し壁掛け設置装置１０を取付け、前記車台部２の側面に駆動部を取付け、前記駆動部を前記レール６に通し、前記壁掛け設置装置１０にプロジェクター１を取付け、前記車台部２が前記レール６に沿って移動するプロジェクター机上設置装置を手段とする。【選択図】図１
2015169686.tif 000002
【特許請求の範囲】
【請求項１】
保持部材の上面にレールが平行に取付けられており、前記保持部材の内側にはステーと保持部材取付け孔が穿孔されており、机の取付け面に前記保持部材取付け孔を介して前記保持部材を取付け、車台部の上面には設置装置取付け孔が穿孔されており、前記車台部の側面に駆動部を取付け、前記駆動部を前記レールに通し、前記設置装置取付け孔を介し、壁掛け設置装置を取付け、前記壁掛け設置装置にプロジェクターを取付け、前記車台部が前記レールに沿って移動が可能となることを特徴とするプロジェクター机上投写用設置装置。
【請求項２】
前記車台部の上面に、設置装置取付け部を設け、前記設置装置取付け部に机上設置装置と取付け、前記机上設置装置に前記プロジェクターを取付けたことを特徴とする請求項１に記載のプロジェクター机上投写用設置装置。
【発明の詳細な説明】
【技術分野】
【０００１】
本発明は、プロジェクターの机上投写用設置装置に関するものである。
【背景技術】
【０００２】
近年では、インタラクティブ機能が搭載された超短焦点プロジェクターが普及しており、ホワイトボードに投写して使用されている。スクリーンの準備の必要が無く、手軽にインタラクティブ機能が使用できることから、学校の授業や企業の会議などに活用されている。
【０００３】
プロジェクターを台や机の上に平置きで設置しホワイトボードなどに投写した場合、使用者の影が映像に映りやすく、プロジェクターの光が目に入る等の使用時の問題点が多いため、近年では、天吊り設置や壁掛け設置が増加している。
【０００４】
しかし、天吊り設置や壁掛け設置は、専用の設置装置を天井や壁に取付ける必要があるため、既設建物に設置装置の取付けを行うには、大掛かりな工事が必要となる。
【０００５】
天井が低い建物やスピーカー、梁などの障害物で取付け位置が制約される場合や、天井や壁の内部構造により、設置装置を所定の高さや位置に取付けできない問題があり、天井や壁の内部構造によって作業工程が異なるなど、熟練した技術や知識が必要となる。また、天井や壁の内部の強度不足などにより取付け出来ない場合がある。
【０００６】
特許文献１で提案されている机上設置装置を机上端に固定し、天板に投写して利用する設置装置が知られており、クランプ部で締めつけて固定しているので、転倒の恐れがなく、安全に使用でき、ホワイトボードやスクリーンなどの設備が不要となり、ホワイトボードやスクリーンのある部屋に移動する手間がなくなり、机上への投写で使用できるため、少人数で気軽に利用できる。
【０００７】
しかし、クランプ部で締めつけて固定を行っているため、投写中は、容易に移動することが出来ず、取付け位置によっては、投写と机上での作業を同時に行うことは困難である。また、映像調整機能を有していないため、映像の調整が容易に行えない問題がある。
【０００８】
特許文献２で提案されている壁掛け設置装置でも机上設置を行うことが可能であり、映像調整機能を有しているため、映像の調整を容易に行え、設置位置も自由に変更できるが、固定機構が備わっていないため、衝撃などでバランスを崩して転倒する恐れがある。また、ビスなどで固定が可能であるが、天板にビス穴などが穿孔され、取り外した際に天板に穿孔痕が残るため美観を損ねる問題がある。
【先行技術文献】
【特許文献】
【０００９】
【特許文献１】特開2013-238727
【特許文献２】特開2012-128055
【発明の概要】
【発明が解決しようとする課題】
【００１０】
映像調整機能を有する既知の設置装置が取付け可能で、転倒の恐れのない机上設置及び机上への投写を可能とし且つ、投写画面が机上を容易に移動可能とする設置装置を提供することを課題とする。
【００１１】
既設建物へのプロジェクターの天吊り又は壁掛け設置装置の取付け工事には、熟練した技術を伴う工事が必要となる。また、取付け位置が制約され所定の高さや位置に取付け出来ない場合や強度不足で取付けが行えない場合がある。
【００１２】
既知の机上設置装置の場合、クランプ部の締め付けで固定を行っているため、投写中に容易に設置位置の変更を行えないため、机上での作業と投写を両立するには、事前に設置位置を変更し、投写スペースの確保と机上での作業スペースの確保を行う必要があるため、手間がかかる。
【００１３】
特許文献１の設置装置には、映像調整機能がないため、投写画面の調整が困難である。
【００１４】
特許文献２の設置装置には、固定機構がないため、転倒の恐れがある。また、ビスなどで固定を行った場合、天板に穿孔痕が残り、美観を損ねる。
【課題を解決するための手段】
【００１５】
保持部材の上面にレールが平行に取付けられており、前記保持部材の内側にはステーと保持部材取付け孔が穿孔されており、机の取付け面に前記保持部材取付け孔を介し取付け部材で前記保持部材を取付け、車台部の上面には設置装置取付け孔が穿孔されており、前記車台部の側面に駆動部を取付け、前記駆動部を前記レールに通し、前記設置装置取付け孔を介し、取付け部材で壁掛け設置装置を取付け、前記壁掛け設置装置にプロジェクターを取付け、前記車台部が前記レールに沿って移動するプロジェクター机上投写用設置装置を手段とする。
【００１６】
また、前記車台部の上面に設置装置取付け部を設け、前記設置装置取付け部に机上設置装置を取付け、前記机上設置装置にプロジェクターを取付け、前記車台部が前記レールに沿って移動するプロジェクター机上投写用設置装置。
【発明の効果】
【００１７】
既設建物への大掛かりな工事が不要となるため、設置できるスペースを確保できれば取付けが可能となる。また、机単位での設置が可能なため、従来では不可能であった、複数のグループ毎に同時に使用が可能となる。
【００１８】
天板の任意の位置に投写画面を移動することが可能となるため、天板端に投写画面を移動させると、机上での作業スペースを確保できるなど、投写と机上での作業を両立させることが出来る。
【００１９】
ホワイトボードやスクリーンなどの設備が不要となり、ホワイトボードやスクリーンのある部屋に移動する必要がなく、また、座る位置によって見えにくいなどが無くなる。
【００２０】
映像調整機能を有した設置装置を取付け可能となるので、映像の調整が容易に行える。
【図面の簡単な説明】
【００２１】
【図１】本発明によるプロジェクター机上投写用設置装置の取付け例を示す概略斜視図
【図２】プロジェクター机上投写用設置装置の取付け例を示す概略断面図（Ａ）及び取付け例を示す車台部の拡大図（Ｂ）、車台部の変更例及び机上設置装置取付け例を示す概略断面図（Ｃ）及び机上設置装置の取付け例を示す拡大図（Ｄ）
【図３】車台部の概略上面図（Ａ）、車台部の概略側面図（Ｂ）、車台部の駆動部の取付け位置の変更例を示す概略側面図（Ｃ）、車台部に机上設置装置取付け部を設けた変更例を示す概略側面図（Ｄ）
【図４】保持部材の概略側面図（Ａ）、保持部材の概略正面図（Ｂ）、レール取付け方向の変更例を示す概略側面図（Ｃ）
【発明を実施するための形態】
【００２２】
壁掛け設置装置１０には、壁に固定するためのベースプレート（図示せず）が付属されている。
【００２３】
車台部２は、図３（Ａ）に示すように複数の駆動部３が取付けられており、前記車台部２の上面には、使用する前記壁掛け設置装置１０に付属しているベースプレートに設けられている取付け孔に対応する数及び位置に設置装置取付け孔１２が穿孔されている。
【００２４】
前記壁掛け設置装置１０に付属されているベースプレートを、前記設置装置取付け孔１２を介し、ビス等で固定し、前記ベースプレートに前記壁掛け設置装置１０を取付ける。
【００２５】
前記車台部２は、使用する前記壁掛け設置装置１０が取付け可能な大きさ及び形状であれば良い。
【００２６】
前記駆動部３は、図３（Ａ）及び図３（Ｂ）に示す個数及び取付け方向が望ましいが、図３（Ｃ）に示すように、取付け方向を変更しても良い。
【００２７】
図４（Ａ）及び図４（Ｂ）が示すように、保持部材４の上面のレール６は、前記駆動部３が前記レール６の内部に収まり、且つスムーズに移動が可能となる等間隔で前記駆動部３の取付け方向に対応する向きで固定されており、前記保持部材４の内側にステー５を適宜数及び等間隔で固定されており、前記保持部材４の側面に、保持部材取付け孔１３が穿孔されている。
【００２８】
前記保持部材４の長さは、保持部材取付け面８の長さ又は机上に投写できる範囲に合わせた長さが望ましい。
【００２９】
設置するプロジェクター１の投写距離に合わせた高さの前記保持部材取付け面８に、前記天板７と前記保持部材４が水平になるように、前記保持部材取付け孔１３を介してビスなどで取付けを行う。
【００３０】
取付けを行う前記保持部材取付け面８の内側に前記保持部材取付け孔１３に合わせた位置に補強材を設けることで、強度を高めることが可能となる。
【００３１】
図２（Ａ）及び図２（Ｂ）が示すように、前記駆動部３を、前記レール６に通し、前記壁掛け設置装置９に前記プロジェクター１を取付けることで、投写が可能となり、前記車台部２が前記レール６に沿って移動が可能となり、前記プロジェクター１及び前記壁掛け設置装置９の転倒を防止する。
【００３２】
机上設置装置１１を使用する場合は、図２（Ｃ）及び図２（Ｄ）で示すように前記車台部２に設置装置取付け部９を設けることで取付けが可能となる。また、前記保持部材４の構成や取付け方法に変更はない。
【００３３】
図３（Ｄ）で示すように、前記車台部２の上面に、前記設置装置取付け部９を溶接又はビスなどで取付け、前記設置装置取付け部９に前記机上設置装置１１を固定し、前記駆動部３を前記レール６に通し、前記机上設置装置１１に前記プロジェクター１を取付ける。
【００３４】
前記設置装置取付け部８の大きさ、形状は使用する前記机上設置装置１０が転倒の恐れがなく、確実に固定できる大きさ、形状であればよい。
【００３５】
前記天板７が、黒色や光が反射するなど投写に不適切な場合があるが、映写対応のシートやスクリーンなどを前記天板７に敷くことで投写が可能である。前記天板７の大きさ又は投写画面に対応する程度の大きさのシートやスクリーンであれば設置や片付けも容易に行え、投写画面も鮮明となる。
【００３６】
前記プロジェクター１に繋がっている配線類は、ケーブルキャリアやモールなどの既知の配線処理を行うことで、前記車台部２の移動の妨げや配線に躓くことがなくなり、また、美観を損ねることもない。
【００３７】
前記レール６の最終端に既知の技術を利用したストッパーを取付けることで、前記車台部２の前記レール６からの脱線を防ぐことが出来る。
【００３８】
前記車台部２に、クランプなどの既知の技術を利用したブレーキ機構を持たせることで、不要な移動を制限することが出来る。
【符号の説明】
【００３９】
１    プロジェクター
２    車台部
３    駆動部
４    保持部材
５    ステー
６    レール
７    天板
８    保持部材取付け面
９    設置装置取付け部
１０   壁掛け設置装置
１１   机上設置装置
１２   設置装置取付け孔
１３   保持部材取付け孔
【図１】
2015169686.tif 000003
【図２】
2015169686.tif 000004
【図３】
2015169686.tif 000005
【図４】
2015169686.tif 000006